(57)【要約】【目的】動画を構成する駒の中から静止画に適した駒を選択できるようにする。【構成】一定周期で被写体を撮像し，動画を構成する多数の駒Ｆ１〜Ｆ１７の画像が得られる。それぞれの駒の画像に対応して，ＡＥ，ＡＦおよびＡＷＢが動作状態か非動作状態かが検出される。動画データと，ＡＥ等の動作状態を示すデータとが関連付けられてメモリ・カードに記録される。動画を再生し，動画を構成する多数の駒Ｆ１〜Ｆ１７の中から静止画用の駒の画像Ｆ３がユーザによって選択される。選択された画像Ｆ３の近くの画像で，ＡＥ等の動作状態が非動作状態である画像Ｆ８が静止画に最適な画像として表示される。画像Ｆ３またはＦ８のうち，所望の画像が静止画用の画像としてユーザによって最終的に選択される。【選択図】  図６
2004247888.tif 000002
【特許請求の範囲】
【請求項１】
動画記録モードの設定手段，
上記動画記録モード設定手段により動画記録モードが設定されたことに応じて，一定周期で被写体を撮像し，被写体像を表す画像データを一定周期で出力する固体電子撮像装置，
上記固体電子撮像装置から一定周期で出力される画像データに影響を及ぼす画像処理の動作中かどうかを検出する検出手段，および
上記固体電子撮像装置から一定周期で出力された画像データのそれぞれと上記検出手段により検出された画像処理中かどうかを示すデータとを互いに関連づけて記録媒体に記録する記録制御手段，
を備えたディジタル・ムービ・ビデオ・カメラ。
【請求項２】
上記画像処理が，自動露光調整，自動合焦処理および自動白バランス調整処理のうち少なくとも１つの処理である，請求項１に記載のディジタル・ムービ・ビデオ・カメラ。
【請求項３】
一定周期で被写体を撮像することにより得られた画像データのそれぞれと，上記画像データが得られたときに上記画像データに影響を及ぼす画像処理の動作中かどうかを示すデータとが互いに関連づけられて記録されている記録媒体から，上記画像データと上記画像処理動作中かどうかを示すデータとを読み取る読取手段，
上記読取手段によって読み取られた画像データによって表される動画を構成する画像を順に表示画面上に表示するように表示装置を制御する表示制御手段，
上記表示制御手段の制御のもとに表示画面上に表示された画像の中から静止画用の画像を指定する指定手段，および
上記指定手段によって指定された画像に対応する上記画像処理の動作中かどうかを示すデータにもとづいて，静止画に適した画像を検出する静止画検出手段，
を備えた動画再生装置。
【請求項４】
上記静止画検出手段が，上記指定手段によって指定された画像近傍の画像であって，上記画像処理動作中ではないときに得られた画像データによって表される画像を，静止画に適した画像として検出するものである，請求項３に記載の動画再生装置。
【請求項５】
動画記録モードが設定されたことに応じて，一定周期で被写体を撮像し，被写体像を表す画像データを一定周期で得，
一定周期で得られた画像データに影響を及ぼす画像処理の動作中かどうかを検出し，
一定周期で得られた画像データのそれぞれと検出された画像処理中かどうかを示すデータとを互いに関連づけて記録媒体に記録する，
ディジタル・ムービ・ビデオ・カメラの制御方法。
【請求項６】
一定周期で被写体を撮像することにより得られた画像データのそれぞれと，上記画像データが得られたときに上記画像データに影響を及ぼす画像処理の動作中かどうかを示すデータとが互いに関連づけられて記録されている記録媒体から，上記画像データと上記画像処理動作中かどうかを示すデータとを読み取り，
読み取られた画像データによって表される動画を構成する画像を順に表示画面上に表示するように表示装置を制御し，
表示画面上に表示された画像の中から静止画用の画像を指定し，
指定された画像に対応する上記画像処理の動作中かどうかを示すデータにもとづいて，静止画に適した画像を検出する，
動画再生装置の制御方法。
【発明の詳細な説明】
【０００１】
【技術分野】
この発明は，ディジタル・ムービ・ビデオ・カメラおよびその制御方法ならびに動画再生装置およびその制御方法に関する。
【０００２】
【発明の背景】
動画記録と静止画記録とを両立するカメラがある（例えば，特許文献１）。
【０００３】
【特許文献１】
特願平９−３５３７７４号
【０００４】
このようなカメラにおいては，動画を表すデータはビデオ・テープに記録され，静止画を表すデータは，静止画用のメモリに記録される。動画を構成する多数の駒の中から所望の駒を静止画用に用いることは考えられていない。
【０００５】
動画撮影中には，自動露光調整，自動合焦処理，自動白バランス調整処理などの画像処理が常に行われている。動画として見た場合には，これらの画像処理の影響は目立たないが，一駒の静止画として抽出した場合には，抽出された画像がこれらの画像処理中のものであった場合には，静止画用の鑑賞に適さないときがある。
【０００６】
【発明の開示】
この発明は，動画を構成する駒の中から静止画に適した駒を選択できるようにすることを目的とする。
【０００７】
第１の発明によるディジタル・ムービ・ビデオ・カメラは，動画記録モードの設定手段，上記動画記録モード設定手段により動画記録モードが設定されたことに応じて，一定周期で被写体を撮像し，被写体像を表す画像データを一定周期で出力する固体電子撮像装置，上記固体電子撮像装置から一定周期で出力される画像データの影響を及ぼす画像処理の動作中かどうかを検出する検出手段，および上記固体電子撮像装置から一定周期で出力された画像データのそれぞれと上記検出手段により検出された画像処理中かどうかを示すデータとを互いに関連づけて記録媒体に記録する記録制御手段を備えていることを特徴とする。
【０００８】
第１の発明は，上記ディジタル・ムービ・ビデオ・カメラに適した制御方法も提供している。すなわち，この方法は，動画記録モードが設定されたことに応じて，一定周期で被写体を撮像し，被写体像を表す画像データを一定周期で得，一定周期で得られた画像データに影響を及ぼす画像処理の動作中かどうかを検出し，一定周期で得られた画像データのそれぞれと検出された画像処理中かどうかを示すデータとを互いに関連づけて記録媒体に記録するものである。
【０００９】
第１の発明によると，動画記録モードが設定されたことに応じて，一定周期で被写体が撮像され，被写体像を表す画像データが一定周期で得られる。また，得られた画像データの影響を及ぼす画像処理の動作中かどうかが検出される。一定周期で得られた画像データと検出された画像処理中かどうかを示すデータとが互いに関連づけられて記録媒体に記録される。
【００１０】
動画を構成する一駒一駒の画像データに関連づけられて，画像処理中かどうかを示すデータが記録媒体に記録されるので，その画像処理中かどうかを示すデータにもとづいて，動画を構成する駒の中から静止画を選択した場合に，その選択した静止画が画像処理中のものかどうかを確認できる。画像処理中のものを静止画として選択した場合には，他の駒を静止画用の駒として指定することができるようになる。
【００１１】
上記画像処理は，たとえば，自動露光調整，自動合焦処理および自動白バランス調整処理のうち少なくとも１つの処理である。
【００１２】
第２の発明は，このようにして記録された画像データ（動画データ）を再生するものである。
【００１３】
第２の発明による動画再生装置は，一定周期で被写体を撮像することにより得られた画像データのそれぞれと，上記画像データが得られたときに上記画像データに影響を及ぼす画像処理の動作中かどうかを示すデータとが互いに関連づけられて記録されている記録媒体から，上記画像データと上記画像処理動作中かどうかを示すデータとを読み取る読取手段，上記読取手段によって読み取られた画像データによって表される動画を構成する画像を順に表示画面上に表示するように表示装置を制御する表示制御手段，上記表示制御手段の制御のもとに表示画面上に表示された画像の中から静止画用の画像を指定する指定手段，および上記指定手段によって指定された画像に対応する上記画像処理の動作中かどうかを示すデータにもとづいて，静止画に適した画像を検出する静止画検出手段を備えていることを特徴とする。
【００１４】
第２の発明は，上記動画再生装置に適した制御方法も提供している。すなわち，この方法は，一定周期で被写体を撮像することにより得られた画像データのそれぞれと，上記画像データが得られたときに上記画像データに影響を及ぼす画像処理の動作中かどうかを示すデータとが互いに関連づけられて記録されている記録媒体から，上記画像データと上記画像処理動作中かどうかを示すデータとを読み取り，読み取られた画像データによって表される動画を構成する画像を順に表示画面上に表示するように表示装置を制御し，表示画面上に表示された画像の中から静止画用の画像を指定し，指定された画像に対応する上記画像処理の動作中かどうかを示すデータにもとづいて，静止画に適した画像を検出するものである。
【００１５】
第２の発明によると，一定周期で被写体を撮像することにより得られた画像データのそれぞれと，画像データが得られたときに画像データに影響を及ぼす画像処理の動作中かどうかを示すデータとが互いに関連づけられて記録されている記録媒体から，画像データと画像処理動作中かどうかを示すデータとが読み取られる。読み取られた画像データによって表される動画を構成する画像が表示画面上に順に表示され，静止画用の画像が指定される。指定された静止画用の画像に対応する画像処理動作中かどうかを示すデータにもとづいて静止画に適した画像が検出される。
【００１６】
静止画に適さない画像が指定された場合でも静止画に適した画像を検出することができるようになる。
【００１７】
たとえば，上記静止画検出手段は，上記指定手段によって指定された画像近傍の画像であって，上記画像処理動作中ではないときに得られた画像データによって表される画像を，静止画に適した画像として検出するものである。
【００１８】
【実施例の説明】
図１は，この発明の実施例を示すもので，ディジタル・カメラの電気的構成を示すブロック図である。
【００１９】
ディジタル・カメラの全体の動作は，制御装置１０によって統括される。
【００２０】
この実施例によるディジタル・カメラは，動画記録と静止画記録との両方が可能である。
【００２１】
ディジタル・カメラは，記録された動画を構成する多数の駒の画像の中から静止画として利用する駒を選択することができる。また，静止画として選択された駒よりも静止画として利用するのに適した駒があった場合には，自動的にその駒の画像も選択され，表示される。ユーザによって選択された駒の画像と，自動的に選択された駒の画像とが表示され，それらの駒の画像のいずかの画像をユーザが選択できる。
【００２２】
ディジタル・カメラには，静止画選択スイッチ１，表示画像選択スイッチ２，動作モード設定スイッチ３，カーソル・スイッチ４，シャッタ・ボタン５などのスイッチ類が含まれている。これらのスイッチ類からの出力信号は，制御装置１０に入力する。静止画選択スイッチ１は，動画を再生したときにその再生された動画を構成する多数の駒の中から静止画として利用する駒を指定するときに操作されるスイッチである。表示画像選択スイッチ２は，静止画選択スイッチ１によって選択された静止画と自動的に選択された静止画とのうちいずかの画像を選択するときに操作されるスイッチである。動作モード設定スイッチ３は，動画記録モード，静止画選択モードなどのモードを設定するスイッチである。カーソル・スイッチ４は，複数駒の画像が表示されているときに，それらの画像間にカーソルを移動する指令を与えるスイッチである。シャッタ・ボタンは，動画または静止画記録指令などを与えるものである。
【００２３】
ディジタル・スチル・カメラには，撮像装置１１が含まれており，この撮像装置１１によって被写体が撮像される。撮像装置１１には，ズーム・レンズ，絞り，ＣＣＤなどが含まれている。被写体像がＣＣＤの受光面上に結像するように，焦点調節装置１２によって，ズーム・レンズのズーム量が調節される。また，適正な露光量となるように，露出設定装置１３によって，絞りおよびシャッタ速度が制御される。
【００２４】
撮像装置１１によって一定周期（例えば，１／３０秒周期，１／１０秒周期など）で被写体が撮像され，被写体像を表す画像データが出力される。出力された画像データは，制御装置１０に入力する。入力した画像データにもとづいて，焦点調節のための調節データが生成され，焦点調節装置１２に与えられる。被写体像が常に合焦するように，焦点調節装置１２によって撮像装置１１が制御される。
【００２５】
また，制御装置１０において，入力した画像データにもとづいて露出調整データが生成され，露出設定装置１３に与えられる。露出設定装置１３によって適正露光となるように撮像装置１１が制御される。
【００２６】
さらに，制御装置１０に入力した画像データは，ホワイト・バランス設定装置１４にも入力する。ホワイト・バランス設定装置１４において，ホワイト・バランス調整データが生成される。生成されたホワイト・バランス調整データは，画像処理装置１５に与えられる。制御装置１０に入力した画像データは，画像処理装置１５にも入力する。画像処理装置１５において，ホワイト・バランス設定装置１４から与えられたホワイト・バランス調整データにもとづいて，ホワイト・バランス調整処理が行われる。また，画像処理装置１５において，ガンマ補正などのその他の所定の画像処理も行われる。
【００２７】
画像処理装置１５から出力された画像データは，制御装置１０を介して表示装置１７に与えられる。表示装置１７の表示画面上に，撮像によって得られた動画が表示される。
【００２８】
この実施例によるディジタル・カメラにおいては，上述したように動画記録が可能である。動作モード設定スイッチ３により動画記録モードが設定されているときに，シャッタ・ボタン５が押されると，上述のように一定周期で得られる画像データ（動画データ）は，順にメモリ・カード１６に与えられ，記録される。
【００２９】
ディジタル・カメラは，メモリ・カード１６に記録されている動画データを再生することもできる。メモリ・カード１６に記録されている動画データは，制御装置１０によって読み取られ，表示装置１７に与えられることにより，動画が表示装置１７の表示画面上に表示される。
【００３０】
この実施例においては，駒の画像が得られたときのＡＥ（Ａｕｔｏ  Ｅｘｐｏｓｕｒｅ）の動作状態，ＡＦ（Ａｕｔｏ  Ｆｏｃｕｓ）の動作状態およびＡＷＢ（Ａｕｔｏ  Ｗｈｉｔｅ  Ｂａｌａｎｃｅ）の動作状態をそれぞれ示すデータも，メモリ・カード１６に記録される。
【００３１】
図２は，撮像によって得られた被写体像と，それぞれの駒の画像が得られたときのＡＥの動作状態，ＡＦの動作状態およびＡＷＢの動作状態をそれぞれ示している。
【００３２】
上述したように，一定周期で被写体が撮像されることにより，多数駒の画像Ｆ１〜Ｆ１７等から構成される動画が得られる。この動画を表すデータがメモリ・カード１６に記録される。それぞれの駒Ｆ１〜Ｆ１７の画像が得られたときのＡＥの動作状態，ＡＦの動作状態およびＡＷＢの動作状態が制御装置１０によって検出される。図２においては，ＡＥ，ＡＦまたはＡＷＢが動作中に得られた駒の画像の場合には，「０」が付され，ＡＥ，ＡＦまたはＡＷＢが非動作中であり，安定しているときに得られた駒の画像の場合には，「１」が付されている。したがって，ＡＥ，ＡＦおよびＡＷＢの動作状態のすべてが「１」のときの駒の画像は安定しており，静止画として適している画像（例えば，Ｆ８〜Ｆ１１，Ｆ１６，Ｆ１７など）であることが分かる。
【００３３】
図３は，メモリ・カード１６のデータ構造を示している。
【００３４】
メモリ・カード１６には，管理領域２１とデータ記録領域２２とが含まれている。
【００３５】
管理領域２１には，メモリ・カード１６に記録されているデータを管理するデータが記録される。この管理領域２１に，上述したＡＥの動作状態，ＡＦの動作状態およびＡＷＢの動作状態をそれぞれ示すデータが，対応する駒の画像データに関連づけられて記録されている。
【００３６】
データ記録領域２２には，上述した画像データが記録される。
【００３７】
図４は，動画記録モードの処理手順を示すフローチャートである。
【００３８】
動画モード設定スイッチ３により動画記録モードが設定されることにより図４に示す処理が開始される。
【００３９】
動画記録モードが設定されている場合に，シャッタ・ボタン５が押されると（ステップ３１でＹＥＳ），上述のように撮像装置１１によって一定周期で被写体が撮像され，一定周期で被写体像を表す画像データが順々に得られる（ステップ３２）。得られた画像データにもとづいてＡＥ処理およびＡＦ処理が行われる（ステップ３３）。また，得られた画像データについてＡＷＢ処理が行われる（ステップ３４）。
【００４０】
得られた画像データとその画像データが得られたときのＡＥの動作状態，ＡＦの動作状態およびＡＷＢの動作状態をそれぞれ示すデータとが関連づけられて，メモリ・カード１６に記録される（ステップ３５）。上述したように，画像データは，メモリ・カード１６のデータ記録領域２２に，ＡＥ等の動作状態をそれぞれ示すデータはメモリ・カード１６の管理領域２１に記録される。
【００４１】
シャッタ・ボタン５が再び押されるまでの間ステップ３２から３５までの処理が繰り返される（ステップ３６）。
【００４２】
図５および図６は，上述のようにしてメモリ・カード１６に記録された動画データによって表される動画を構成する多数駒の画像の中から静止画として利用する画像を選択する場合を説明するものである。
【００４３】
図５は，静止画選択モードの処理手順を示すフローチャートである。図６は，動画を構成する各駒の画像とＡＥ，ＡＦおよびＡＷＢの動作状態との関係を示している。
【００４４】
動作モード設定スイッチにより静止画選択モードが設定されたことにより図５に示す処理が開始する。
【００４５】
メモリ・カード１６に記録されている動画データが読み取られ，動画データによって表される動画が表示装置１７の表示画面上に表示される（ステップ４１）。表示画面上には，図６に示す駒Ｆ１〜Ｆ１７等の画像が一定周期で順に表示される。動作モード設定スイッチ３によりモードの変更があれば（ステップ４２でＹＥＳ），その変更されたモードの動作となる。モードの変更が無ければ（ステップ４２でＮＯ），表示装置１７の表示画面に表示されている動画をユーザが見ながら，静止画として利用する画像（例えば，プリントすべき画像）が見つけられる。所望の画像が表示されたときに静止画選択スイッチ１がユーザによって押される（ステップ４３でＹＥＳ）。例えば，ユーザによってＦ３の駒の画像が選択されたものとする。
【００４６】
つづいて，ユーザによって選択された画像に近い画像のうち，ＡＥ，ＡＦおよびＡＷＢの動作状態が非動作状態（すべて「１」）である画像が最適な撮影状態の画像であるとして見つけられる（ステップ４４）。ユーザによってＦ３の画像が選択された場合には，ＡＥ，ＡＦおよびＡＷＢの動作状態がすべて非動作状態であってＦ３の画像に近い画像はＦ８の画像である。Ｆ８の画像が，最適な撮影状態の画像として，ユーザが選択したＦ３の画像とともに表示装置１７の表示画面上に並べて表示される（ステップ４５）。
【００４７】
Ｆ３の画像とＦ８の画像とのうち，いずれかの画像の回りがカーソルで囲まれる。カーソルは，カーソル・スイッチ４によって，Ｆ３の画像とＦ８の画像との間を交互に移動する。画像Ｆ３またはＦ８のうち，所望の画像をカーソルが囲んでいる場合に，表示画像選択スイッチ２が押されるとカーソルによって囲まれている画像がユーザによって最終的に選択された画像となる（ステップ４６でＹＥＳ）。最終的に選択された画像を表す画像データが静止画データとしてメモリ・カード１６のデータ記録領域２２に記録される（ステップ４７）。
【００４８】
静止画として利用するのに適した画像をユーザが選択できるようになる。
【図面の簡単な説明】
【図１】ディジタル・カメラの電気的構成を示すブロック図である。
【図２】撮像により得られた動画を構成する画像とＡＥ等の動作状態との関係を示している。
【図３】メモリ・カードのデータ構造を示している。
【図４】動画記録モードの処理手順を示すフローチャートである。
【図５】静止画記録モードの処理手順を示すフローチャートである。
【図６】撮像により得られた動画を構成する画像とＡＥ等の動作状態との関係を示している。
【符号の説明】
１  静止画選択スイッチ
２  表示画像選択スイッチ
３  動作モード設定スイッチ
４  カーソル・スイッチ
５  シャッタ・ボタン
１０  制御装置
１１  撮像装置
１２  焦点調節装置
１３  露出設定装置
１４  ホワイト・バランス設定装置
１５  画像処理装置
１６  メモリ・カード
１７  表示装置
【図１】
2004247888.tif 000003
【図２】
2004247888.tif 000004
【図３】
2004247888.tif 000005
【図４】
2004247888.tif 000006
【図５】
2004247888.tif 000007
【図６】
2004247888.tif 000008